【事件の表示】
　特許第３３９４５２６号「観音開き式扉装置」の請求項１に係る特許に対する特許異議の申立てについて、次のとおり決定する。
【結　論】
　訂正を認める。
　特許第３３９４５２６号の請求項１に係る特許を維持する。
【理　由】
１．訂正の適否
１−１　訂正の内容
・訂正事項ａ
　特許請求の範囲の請求項１の「断熱箱体内に形成された冷蔵室及び／又は冷凍室」を「室内上面は内箱で、室内下面は前方を開口したトリムよりなる仕切壁で形成されて断熱箱体内の上部に配置された冷蔵室又は冷凍室」と、また、「前記冷蔵室及び／又は冷凍室の上面に設けられて」を「前記冷蔵室又は冷凍室内上面の内箱にのみ取り付けられて前記ガスケットとの隙間を埋めるガイド部と、前記ガイド部に形成され」と、それぞれ訂正する。
　
・訂正事項ｂ
　明細書中の段落番号【００１９】、【００４４】の「断熱箱体内に形成された冷蔵室及び／又は冷凍室」を「室内上面は内箱で、室内下面は前方を開口したトリムよりなる仕切壁で形成されて断熱箱体内の上部に配置された冷蔵室又は冷凍室」と、また、同段落番号【００１９】、【００４４】の「前記冷蔵室及び／又は冷凍室の上面に設けられて」を「前記冷蔵室又は冷凍室内上面の内箱にのみ取り付けられて前記ガスケットとの隙間を埋めるガイド部と、前記ガイド部に形成され」とそれぞれ訂正する。
　
１−２　訂正の適否
・訂正事項ａについて
　上記訂正事項ａについては、特許明細書の特許請求の範囲の請求項１中に記載された発明について、「断熱箱体内に形成された冷蔵室及び／又は冷凍室」としていた構成を、対象とする室を冷蔵庫または冷凍庫の何れか一方に限定し、それらの室が断熱箱体の上部に配置されたものであり、さらに、室内上面は内箱で、室内下面は前方を開口したトリムよりなる仕切壁で形成されたものであると限定し、また、「（ピンが）前記冷蔵室及び／又は冷凍室の上面に設けられて」いるとしていた構成を、（ピンが）ガイド部に形成され、ガイド部は冷蔵室又は冷凍室の上面の内箱のみに取り付けられ、且つ、ガスケットとの隙間を埋めるものであることを限定したものである。
　「室内上面は内箱で、室内下面は前方を開口したトリムよりなる仕切壁で形成されて断熱箱体内の上部に配置された冷蔵室又は冷凍室」と訂正した構成は、本件特許の明細書中の段落番号【０００４】、【００２１】、【００２４】及び図１、２、７、９の記載事項をまた、「前記冷蔵室又は冷凍室内上面の内箱にのみ取り付けられて前記ガスケットとの隙間を埋めるガイド部と、前記ガイド部に形成され」と訂正した構成は、明細書中の段落番号【００２１】、【００２２】、【００４３】及び図９の記載事項を根拠としている。
　
　したがって、上記訂正事項ａは、特許請求の範囲の減縮を目的としたものであり、願書に添付した明細書又は図面に記載した事項の範囲内の訂正であり、実質上特許請求の範囲を拡張し又は変更するものでもない。
　
　以上のとおりであるから、上記訂正事項ａによる訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、第２項及び第３項の規定に適合するものである。
　また、その他の訂正事項ｂによる訂正についても同様に上記規定に適合するので当該訂正を認める。
　
２．異議申立てについての判断
２−１　本件発明
　上記の通り、訂正は認められるから、本件の請求項１に係る発明（以下、請求項１に係る発明を「本件発明」という。）は、訂正された特許明細書の請求項１に記載された次のとおりのものである。
　
「【請求項１】 室内上面は内箱で、室内下面は前方を開口したトリムよりなる仕切壁で形成されて断熱箱体内の上部に配置された冷蔵室又は冷凍室の前面開口部を閉塞するよう前記前面開口部両側に回動自在に枢支された観音開き式の第１及び第２扉と、前記第１及び第２扉の裏面周縁にそれぞれ設けられ前記前面開口部周縁に当接するガスケットと、前記第１扉の非枢支部分の裏面に前記前面開口部周縁に渡る長さで前記第１扉の回転軸方向に延在して回動自在に取付られた仕切体と、前記仕切体の上端面のみに設けられて一方を開口した円弧状の溝と、前記冷蔵室又は冷凍室内上面の内箱にのみ取り付けられて前記ガスケットとの隙間を埋めるガイド部と、前記ガイド部に形成され前記仕切体の上端面のみに設けられた溝に挿入されるピンとからなり、前記仕切体を前記第１扉が開成するときに前記仕切体の上端面のみに設けられた円弧状の溝と前記ピンとの一ヶ所のみの係合により回動させて前記第２扉と当接しない位置に移動し、前記第１扉が閉成するときに前記仕切体の上端面のみに設けられた円弧状の溝と前記ピンとの一ヶ所のみの係合により回動させて前記第２扉の反枢支側と当接する位置へ移動させるよう構成した観音開き式扉装置。」
　
２−２　取消理由通知で引用された刊行物に記載された発明
・刊行物１：特開平２−１３３７８４号公報（異議申立人の提出した甲第１号証）
　刊行物１の第１頁左下欄５〜２０行目、第２頁右上欄２０行目〜右下欄１１行目、第２頁右下欄１７行目〜第３頁左上欄１０行目、第３頁左上欄１６行目〜第３頁右上欄４行目の記載、及び、図面によれば、
刊行物１には、
「室内上下面は内箱で、断熱箱体内に配置された冷蔵室又は冷凍室の前面開口部を閉塞するよう前記前面開口部両側に回動自在に枢支された観音開き式の第１及び第２扉と、前記第１及び第２扉の裏面周縁にそれぞれ設けられ前記前面開口部周縁に当接するガスケットと、前記第１扉の非枢支部分の裏面に前記前面開口部周縁に渡る長さで前記第１扉の回転軸方向に延在して回動自在に取付られた仕切体と、前記仕切体の上下端面に設けられて一方を開口した円弧状のガイド溝部と、前記冷蔵室又は冷凍室内上下面の内箱に取り付けられたガイド部と、前記ガイド部に形成され前記仕切体の上下端面に設けられたガイド溝部に挿入される彎曲柱とからなり、前記仕切体を前記第１扉が開成するときに前記仕切体の上下端面に設けられた円弧状のガイド溝部と前記彎曲柱との係合により回動させて前記第２扉と当接しない位置に移動し、前記第１扉が閉成するときに前記仕切体の上下端面に設けられた円弧状のガイド溝部と前記彎曲柱との係合により回動させて前記第２扉の反枢支側と当接する位置へ移動させるよう構成した観音開き式扉装置。」
が開示されていると認められる。
　
・刊行物２：実願昭５８−７５３９０号（実開昭５９−１８０１８８号）のマイクロフィルム（同甲第２号証）
　刊行物２の第１頁４行目〜第２頁２行目、第４頁９〜１５行目、第４頁１８行目〜第５頁１行目、第５頁８、９行目、第５頁１５〜１９行目、第７頁１４〜１９行目、第８頁８〜１０行目、第８頁１５行目〜第９頁１行目、第９頁１７、１８行目、第１０頁１４〜１９行目の記載、及び、図面によれば、
刊行物２には、
「室内上下面は内箱で、断熱箱体内に配置された冷蔵室又は冷凍室の前面開口部を閉塞するよう前記前面開口部両側に回動自在に枢支された観音開き式の第１及び第２扉と、前記第１及び第２扉の裏面周縁にそれぞれ設けられ前記前面開口部周縁に当接するガスケットと、前記第１扉の非枢支部分の裏面に前記前面開口部周縁に渡る長さで前記第１扉の回転軸方向に延在して回動自在に取付られた仕切体と、前記冷蔵室又は冷凍室内の内箱に取り付けられた第１、及び第２ガイド部とからなり、前記仕切体を前記第１扉が開成するときに前記仕切体を回動させて前記第２扉と当接しない位置に移動し、前記第１扉が閉成するときに前記仕切体の上下端部と前記第２ガイド部との係合により回動させて前記第２扉の反枢支側と当接する位置へ移動させるよう構成した観音開き式扉装置。」
が開示されていると認められる。
　さらに、内箱の上下両面に設けた第２ガイド部を、何れか一方の面のみに設けても差支えないという構成も開示されている。
　
・刊行物３：実願昭５８−７５３９１号（実開昭５９−１８０１８９号）のマイクロフィルム（同甲第３号証）
　刊行物３にも、刊行物２に開示された発明と同様の発明が開示されていると認められる。
　
２−３　対比・判断
　本件発明と刊行物１に記載された発明とを対比すると、刊行物１に記載された「ガイド溝部１６Ａ」、「彎曲柱１２Ａ」は、それぞれ本件発明の「溝」、「ピン」に相当するから、
両者は、
「冷蔵室又は冷凍室の前面開口部を閉塞するよう前記前面開口部両側に回動自在に枢支された観音開き式の第１及び第２扉と、前記第１及び第２扉の裏面周縁にそれぞれ設けられ前記前面開口部周縁に当接するガスケットと、前記第１扉の非枢支部分の裏面に前記前面開口部周縁に渡る長さで前記第１扉の回転軸方向に延在して回動自在に取付られた仕切体と、前記仕切体の上端面に設けられて一方を開口した円弧状の溝と、前記冷蔵室又は冷凍室内上面の内箱に取り付けられたガイド部と、前記ガイド部に形成され前記仕切体の上端面に設けられた溝に挿入されるピンとからなり、前記仕切体を前記第１扉が開成するときに前記仕切体の上端面に設けられた円弧状の溝と前記ピンとの係合により回動させて前記第２扉と当接しない位置に移動し、前記第１扉が閉成するときに前記仕切体の上端面に設けられた円弧状の溝と前記ピンとの係合により回動させて前記第２扉の反枢支側と当接する位置へ移動させるよう構成した観音開き式扉装置。」
である点で一致し、次の点で相違する。
　
［相違点１］本願発明では、観音開き式扉装置が取り付けられる室が、室内上面は内箱で、室内下面は前方を開口したトリムよりなる仕切壁で形成されて断熱箱体内の上部に配置された冷蔵室又は冷凍室であるのに対して、刊行物１に記載された発明では、単一の冷蔵室又は冷凍室を有する冷蔵庫であって、それらの室は断熱箱体内の上部に配置されたものではなく、また、室内上面、下面は共に内箱で形成されており、トリムはおろか、仕切壁自体をも有するものではない点。
［相違点２］本願発明では、円弧状の溝が仕切り体の上端面のみに設けられ、また、該溝に挿入されるピンが設けられるガイド部も室内上面の内箱のみに取り付けられており、それ故、第１扉開閉時に、仕切体を回動させる円弧状の溝とピンとの係合が、仕切体の上端面の一ヶ所のみであるのに対して、刊行物１に記載された発明では、第１扉開閉時に、仕切体を回動させる円弧状の溝とピンとの係合が、仕切体の上下両端面の二ヶ所である点。
［相違点３］本願発明のガイド部は、ガスケットとの隙間を埋めるものであるのに対して、刊行物１に記載されたガイド部は、ガスケットとの隙間を埋めるものではない点。
　
  上記相違点について検討すると、相違点１における本件発明の構成が、当業者が容易になし得る設計事項であり、また、相違点２における本件発明の構成が、刊行物２、３の示唆により、当業者が容易になし得たものであるとしても、相違点３における本件発明の構成である「ガスケットとの隙間を埋めるガイド部」について、刊行物２、３いずれにも記載されておらず、示唆もされていない。
　そして、本件発明は、上記相違点１〜３における本件発明の構成をすべて備えることにより、仕切体端部との隙間が大きくなる内箱と対峙する室内上面にのみガイド部を介在されて隙間を埋め、ガイド部にピンを形成することで閉扉時のガスケットとのシール性を確保できるという格別の作用効果を奏するものである。
　したがって、本件発明は、刊行物１〜３に記載された発明に基づいて当業者が容易に発明をすることができたとすることはできない。
　
３．むすび
　以上のとおりであるから、特許異議申立の理由及び証拠によっては、本件発明についての特許を取り消すことはできない。
　また、他に本件発明についての特許を取り消すべき理由を発見しない。
　よって、結論の通り決定する。　
【異議決定日】
平成１６年４月２０日（２００４．４．２０）
【訂正の要旨】
審決（決定）の【理由】欄参照。
（５４）【発明の名称】
観音開き式扉装置
（５７）【特許請求の範囲】
　【請求項１】　
室内上面は内箱で、室内下面は前方を開口したトリムよりなる仕切壁で形成されて断熱箱体内の上部に配置された冷蔵室又は冷凍室
前記冷蔵室又は冷凍室内上面の内箱にのみ取り付けられて前記ガスケットとの隙間を埋めるガイド部と、前記ガイド部に形成され
【発明の詳細な説明】
　【０００１】
　【発明の属する技術分野】
　本発明は断熱箱体の開口を観音開き式の扉によって開閉すると共に扉裏面にはそれぞれシ−ル用のガスケットを備えた観音開き式扉装置に関するものである。
　【０００２】
　【従来の技術】
　従来この種の扉装置は例えば松下冷機（株）が１９９０年３月に発売したＮＲ−Ｆ４０ＶＰ１型冷凍冷蔵庫に採用したものがあった。
　【０００３】
　図１４〜図１９にその詳細を示す。
　【０００４】
　図において、１は冷凍冷蔵庫本体で、２は鉄板製の外箱、３は合成樹脂を成形してなる内箱、４は外箱２と内箱３の間に充填される発泡断熱材、５は前方に開口した断熱箱体、５Ａは断熱箱体５の開口部である。
　【０００５】
　６Ａ、６Ｂは断熱箱体５の左右縁部の上下に設けられた上下ヒンジ７Ａ，７Ｂにより回転自在に枢支された上下２枚の観音開き式の第１扉、第２扉である。
　【０００６】
　８は扉６Ａ，６Ｂの裏面周縁部にマグネットを挿入したシ−ル部材としてのガスケット、９は冷蔵室庫内、１０は扉６Ａの裏面の非枢支側に位置するガスケット８より内側に位置する部分に上下二箇所冷蔵室庫内９方向へ突出した支持ア−ム、１１は仕切体である。
　【０００７】
　１２は、扉６Ａ，６Ｂのそれぞれの非枢支側に位置する部分の断熱箱体５の開口部５Ａ縁部の上下に相対向して形成されているガイド部、１２Ａは、開口部５Ａの上下よりをれぞれ相対向してガイド部１２より突出しているピンである。１３Ａはガイド部１２を開口部５Ａに取付けるねじである。１４は、ガイド部１２に取付けられ、仕切体１１に密着するシ−ル材である。
　【０００８】
　１５Ａは、開口部５Ａの上下寸法よりも少許小さい長さで、上下に延在し、前面は平面とし、後部は角部を曲面とした形状となっている仕切体１１の上下端部にガイド部１２のピン１２Ａに摺動自在に合致する円弧状の溝で、一方を開口１５Ｃとし他方に円弧状の溝１５Ａの終端部１５Ｂを設けている。
　【０００９】
　１６は仕切体１１と扉６Ａ，６Ｂの内板６’の側面６”に端部を取付け、途中にトグル部１７を有したバネである。尚仕切体１１にはバネ１６が入る孔（図示せず）が設けられている。
　【００１０】
　以上のように構成された冷凍冷蔵庫について以下その動作を説明する。
　【００１１】
　扉６Ａを閉じていくと、仕切体１１は冷蔵室庫内９に侵入し、ピン１２Ａが、仕切体１１の円弧状の溝１５Ａに当接し、更に、摺動自在に合致する円弧状の溝１５Ａに沿って移動していく。
　【００１２】
　このことにより、仕切体１１が、反時計回りに回動していき、扉６Ａが閉じた状態では、扉６Ａ，６Ｂの非枢支側のガスケット８は仕切体１１前面に密着し、更にシ−ル材１４は仕切体１１上下端部に密着し冷蔵室庫内９を気密にシ−ルする。尚、バネ１６により冷蔵室仕切体１１は原位置にすばやく移動させられている。
　【００１３】
　次に、扉６Ａを開く時には、扉６Ａを手前に引く事により、ピン１２Ａは摺動自在に合致する円弧状の溝１５Ａを有する仕切体１１を移動して、仕切体１１は時計回りに回動され、それによってガスット８は仕切体１１前面より離れ、その後は扉６Ａを容易に回動し開放される。このとき、バネ１６のトグル部１７によりいままでと逆方向の力が仕切体１１に付与されるので仕切体１１がすみやかに移動する。
　【００１４】
　以上のように、従来例によれば、ガイド部上下端部にもシ−ル材が取り付けられている為、冷蔵室庫内の気密を保持することができた。
　【００１５】
　【発明が解決しようとする課題】
　しかしながら上記従来の構成では、ガイド部のピンが上下にあるため取付バラツキにより上下のピンが左右もしくは前後に位置ズレした場合、仕切体がこじて仕切体が動作しない場合があった。
　【００１６】
　また、仕切体の支持ア−ムは鉄板製であり、扉を開けた時に露が付着し錆が発生したり、仕切体に異常な力が加わった場合変形して回転に支障をきたすといった問題があった。
　【００１７】
　さらに、本冷凍冷蔵庫は仕切体が回転する観音開き式扉装置は冷蔵室にしか採用されておらず、その構造を冷凍室に採用すると、庫内と外部の温度差によりガスケット面に露付が発生したり、外気が庫内に侵入して来て庫内に霜発生する危険があった。
　【００１８】
　本発明は上記従来の課題を解決するもので、仕切体の動作をスム−ズにすると共に、冷凍室にも採用出来る観音開き式扉装置を提供することにある。
　【００１９】
　【課題を解決するための手段】
　本発明の請求項１に記載の発明は、
室内上面は内箱で、室内下面は前方を開口したトリムよりなる仕切壁で形成されて断熱箱体内の上部に配置された冷蔵室又は冷凍室の
前記冷蔵室又は冷凍室内上面の内箱にのみ取り付けられて前記ガスケットとの隙間を埋めるガイド部と、前記ガイド部に形成され
　【００２０】
　【発明の実施の形態】
　以下、本発明の実施の形態について、図面を参照しながら説明する。尚従来と同一構成部分については同一符号を付してその詳細な説明を省略する。
　【００２１】
　（実施の形態１）
　１８は冷凍室庫内で、１９は冷凍室庫内１８と冷蔵室庫内９を区画する仕切壁で、２０は仕切壁前面板である。２１は冷凍室庫内１８の開口縁部の上部に形成されているガイドトップ部、２２はガイドトップ部２１を冷凍冷蔵庫本体１に取付ける以前にガイドトップ部２１に取付けられ、仕切体１１に密着するガイドシ−ル材である。
　【００２２】
　このガイドシ−ル材２２の取付方はガイドトップ部２１の扉側にシ−ル材孔２３を開けて、このシ−ル材孔２３へ挿入して上押え板２４Ａで係合されている。このとき、ガイドシ−ル材２２は、ガイドトップ部２１の先端を覆うようになっている。
　【００２３】
　２５は発泡断熱材４に埋設されている補強板で、２６はねじ１３Ｂにより補強板２５に保持されたベ−スガイド部、２７は冷凍室庫内１８の上下部に設けられたＰＴＣヒ−タである。尚、ガイドトップ部２１はねじ１３Ｃと爪２８Ａによりベ−スガイド部２６と固定されている。２９は水抜き用切り欠きである。
　【００２４】
　３０は前方を開口した断面ほぼコの字形をなすトリムで、ピン１２Ａを突出して一体形成している。２４ＢはＰＴＣヒ−タ２７を保持するための下押え板で、３１はカバ−である。３２はカバ−３１より突出して形成されたボスで、下押え板２４Ｂを溶着固定する。前記トリム３０に形成された凹部３３が前記カバ−３１に形成された爪２８Ｂ嵌合するよう構成されている。
　【００２５】
　３４Ａ，３４Ｂは仕切体１１を第１扉６Ａに取付ける上下樹脂性支持ア−ムで、３４Ｂは下方の間口を大きくした２段段付孔３４Ｃを有している。上下樹脂性支持ア−ム３４Ａ、３４Ｂは側面６’とねじ１３Ｇにより固定されている。３４Ｄは肉抜き穴である。
　【００２６】
　３５Ａ、３５Ｂは仕切体１１のトリムフレンチで、３６は上部キャップ、３７Ａ、３７Ｂは下部キャップ、３８Ａは断面形状がほぼコの字形をなし薄肉材で構成され左右フランジに切り欠きを有する磁性体の仕切体前面板で、３８Ｂは断面がほぼコの字形をなし薄肉材で構成された磁性体の仕切体前面板、３９Ａ、３９Ｂはトリムフレンチ３５Ａ、３５Ｂと仕切体前面板３８Ａ、３８Ｂ内の断熱材である。
　【００２７】
　４０Ａ、４０Ｂは前面板ヒ−タである。４１は仕切体１１下部に取付けられ、カバ−３１に密着するカバ−シ−ル材である。このカバ−シ−ル材４１は、仕切体前面板３８Ａのフランジと下部キャップ３７Ａに挟み込まれて係合されている。このとき、カバ−シ−ル材４１はカバ−３１の先端を覆うようになっている。
　【００２８】
　１３Ｄは上部キャップ部３６と下部キャップ部３７Ａ、３７Ｂを仕切体前面板３８Ａ、３８Ｂを固定するねじ、１３Ｅは上部キャップ部３７Ａと下部キャップ部３７Ａ、３７Ｂをトリムフレンチ３５Ａ、３５Ｂと固定するねじである。
　【００２９】
　４２はガスケット８より開口部５Ａの中央側上下にだしたシ−ル用ヒレである。４３Ａは上樹脂性支持ア−ム３４Ａを保持する為の樹脂で成形された上部サポ−ト、４３Ｂは下樹脂性支持ア−ム３４Ｂを保持し、前面板ヒ−タ４０Ａ、４０Ｂのコ−ドを収納するケ−ス４３Ｃを一体化した樹脂性の下部サポ−トである。
　【００３０】
　上部サポ−ト４３Ａ、下部サポ−ト４３Ｂの取付け方は、ドア内板６’にあけられた位置決め孔４４に上部サポ−ト４３Ａ、下部サポ−ト４３Ｂより突出形成た位置決めピン４５を、ドア内板６’土手６”裏面より差し込み、ねじ１３Ｆにより仮止めする。その後ドア内板６’内には発泡断熱材４が充填される為、上部サポ−ト４３Ａ、下部サポ−ト４３Ｂは強固に保持される。
　【００３１】
　４６はカバ−ハ−ネス、４７はクッションゴム、１３Ｈはカバ−ハ−ネス４６を固定するねじである。
　【００３２】
　以上のように構成された冷凍冷蔵庫について以下その動作を説明する。
　【００３３】
　冷凍室扉６Ａを閉じていくと、仕切体１１は冷凍室庫内１８に侵入し、ピン１２Ａが、仕切体１１の円弧状の溝１５Ａに当接し、更に、摺動自在に合致する円弧状の溝１５Ａに沿って移動していく。
　【００３４】
　このことにより、仕切体１１が、反時計回りに回動していき、扉６Ａが閉じた状態では、扉６Ａ、６Ｂの非枢支側のガスケット８は仕切体１１前面に密着し、上下のシ−ル用ヒレ４２はラップしている。
　【００３５】
　更に、ガイドシ−ル材２２、カバ−シ−ル材４１は仕切体１１上下端部に密着して冷凍室庫内１８を気密にシ−ルする。又、ＰＴＣヒ−タ２７により可動部の凍結、発汗を防止している。尚、バネ１６により仕切体１１は原位置にすばやく移動させられている。
　【００３６】
　ここで仕切体１１は、仕切体前面板３８Ａのみは磁性材料で構成すれば非枢支側支持のガスケット８の密着は良くなる。又、下樹脂性支持ア−ム３４Ｂの２段段付孔３４Ｃより前面板ヒ−タ４０Ａのコ−ドを通した後、間口を大きくした２段段付孔３４Ｃよりチュ−ブ等を通す事により、コ−ドの傷付き対策となる。又、仕切体１１の幅は非枢支側のガスケット８の間隔よりも十分大となる様予め設定する。
　【００３７】
　次に、扉６Ａを開く時には、扉６Ａを手前に引く事により、ピン１２Ａが仕切体１１に設けた円弧状の溝１５Ａ内を摺動し、仕切体１１は時計回りに回動される。それによってガスケット８は仕切体１１前面より離れ、その後は扉６Ａを容易に回動し開放される。このとき、バネ１６のトグル部１７によりいままでと逆方向の力が仕切体１１に付与されているので仕切体１１がすみやかに移動する。
　【００３８】
　冷蔵室扉６Ａを閉じていくと、仕切体１１は冷蔵室庫内９に侵入し、ピン１２Ａが、仕切体１１の円弧状の溝１５Ａに当接し、更に、摺動自在に合致する円弧状の溝１５Ａに沿って移動していく。このことにより、仕切体１１が、反時計回りに回動していき、扉６Ａが閉じた状態では、扉６Ａ、６Ｂの非枢支側のガスケット８は仕切体１１の前面に密着し、上下のシ−ル用ヒレ４２はラップしている。尚、バネ１６により仕切体１１は原位置にすばやく移動させられている。
　【００３９】
　ここで仕切体１１は、仕切体前面板３８Ｂのみは磁性材料で構成すれば非枢支側支持のガスケット８の密着は良くなる。又、下樹脂性支持ア−ム３４Ｂの２段段付孔３４Ｃより前面板ヒ−タ４０Ｂのコ−ドを通した後、間口を大きくした２段段付孔３４Ｃよりチュ−ブ等を通す事により、コ−ドの傷付き対策となる。また、仕切体１１の幅は非枢支側のガスケット８の間隔よりも十分大となる様予め設定する。
　【００４０】
　次に、扉６Ａを開く時には、扉６Ａを手前に引く事により、ピン１２Ａが仕切体１１に設けた円弧状の溝１５Ａ内を摺動し、仕切体１１は時計回りに回動される。それによってガスケット８は仕切体１１前面より離れ、その後は扉６Ａを容易に回動し開放される。このとき、バネ１６のトグル部１７によりいままでと逆方向の力が仕切体１１に付与されているので仕切体１１がすみやかに移動する。
　【００４１】
　以上のように、本実施の形態によれば、ピンを仕切体の上下いずれか一方の対向する面にのみ設ける事により、上下にピンがある時と比べ上下のピン位置のズレによるドア開閉に支障をきたす事がなく、更に、冷蔵室のピンをトリムと一体化する事により、ピン位置の組合せバラツキによるずれを少なくする事ができる。又、一方のピンをなくす事により、これに対応する一方の円弧状の溝をなくす事ができ、溝内の冷気のよどみをなくすことができる。
　【００４２】
　仕切体支持ア−ムを樹脂で成形している為、金属で作った場合、コ−ドに傷が付くとか、露が付く事もなく、肉抜きする事により、樹脂の弾性により異常な力が加わったときの折れ防止及び成形時のたおれ防止にもなり、更に、２段段付け構造が可能となりチュ−ブ等を挿入する事により、コ−ドの傷付きを防止できる。
　【００４３】
　冷凍室上部にベ−スガイド部とガイドトップ部を設けている為、ガスケットとの隙間が生ぜずガスケット表面の発汗や庫内に霜が発生することもない。ガイドトップ部やカバ−内にＰＴＣヒ−タを取付けている為、外気が高湿度になってもガスケット表面に露が付く事も防止できる。
　【００４４】
　【発明の効果】
　以上説明したように請求項１に記載の発明は、
室内上面は内箱で、室内下面は前方を開口したトリムよりなる仕切壁で形成されて断熱箱体内の上部に配置された冷蔵室又は冷凍室
前記冷蔵室又は冷凍室内上面の内箱にのみ取り付けられて前記ガスケットとの隙間を埋めるガイド部と、前記ガイド部に形成され
【図面の簡単な説明】
　【図１】
　本発明の実施の形態１における観音開き式扉装置を用いた冷蔵庫の正面図
　【図２】
　同実施の形態の観音開き式扉装置の仕切体を故意に起こした冷蔵庫の正面図
　【図３】
　同実施の形態の観音開き式扉装置の仕切体の要部斜視図
　【図４】
　同実施の形態の観音開き式扉装置の冷凍室扉の分解斜視図
　【図５】
　同実施の形態の観音開き式扉装置の冷蔵室扉の分解斜視図
　【図６】
　同実施の形態の観音開き式扉装置の冷凍室上下部分解斜視図
　【図７】
　同実施の形態の観音開き式扉装置の冷凍室下部の分解斜視図
　【図８】
　同実施の形態の観音開き式扉装置の冷蔵室上下部斜視図
　【図９】
　図１のＡ−Ａ方向からの断面図
　【図１０】
　同実施の形態の観音開き式扉装置のガイドトップ部の斜視図
　【図１１】
　同実施の形態の観音開き式扉装置のカバ−の斜視図
　【図１２】
　図３のＢ−Ｂ方向からの断面図
　【図１３】
　図３のＣ−Ｃ方向からの断面図
　【図１４】
　従来の冷蔵庫の扉装置の扉閉状態の断面図
　【図１５】
　従来の冷蔵庫の扉装置の扉開状態の断面図
　【図１６】
　従来の冷蔵庫の扉装置の要部断面図
　【図１７】
　従来の冷蔵庫の斜視図
　【図１８】
　従来の冷蔵庫の要部正面図
　【図１９】
　図１７のＤ−Ｄ方向からの断面図
　【符号の説明】
　６Ａ、６Ｂ　第１、第２扉
　８　ガスケット
　１１　仕切体
　１２Ａ　ピン
　１５Ａ　円弧状の溝
　１９　仕切壁
　２０　仕切壁前板
　２４Ａ、２４Ｂ　押え板
　２７　ＰＴＣヒ−タ
　３０　トリム
　３１　カバ−